【事件の表示】
　特許第３１８６９８３号「収穫機」の請求項１ないし４に係る特許に対する特許異議の申立てについて、次のとおり決定する。
【結　論】
　訂正を認める。
　特許第３１８６９８３号の請求項１ないし４に係る特許を維持する。
【理　由】
１．手続きの経緯
　特許第３１８６９８３号の請求項１に係る発明ないし請求項４に係る発明についての出願は、平成８年７月１９日に特許出願（特願平８−１９０５３８号）されたものであって、平成１３年５月１１日にその特許権の設定登録がなされ、その後、小橋工業　株式会社　より特許異議の申立てがなされ、取消しの理由が通知され、その指定期間内である平成１６年５月２０日に訂正請求がなされたものである。
２．訂正の適否についての判断
（１）訂正の内容
　特許権者が求めている訂正の内容は以下のａ〜ｄのとおりである。
ア．訂正事項ａ
　特許請求の範囲の請求項１中の
「収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、
　前記台車は、前記収穫機本体に連結され車輪を軸架するとともに荷台支持部を有する台車フレームと、この台車フレームに上下方向に回動自在に軸支され前記収容体を載置する荷台を有するとともに前記荷台支持部にて支持される荷台フレームと、この荷台フレームに設けられ前記荷台上に載置される前記収容体を支持する支持体と、前記荷台支持部にて支持された状態で前記荷台フレームを前記台車フレームに固定し収容体の搬出時に荷台フレームの固定を解除する固定手段と、を有する
　ことを特徴とする収穫機。」を、
「収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、
　前記台車は、
　前記収穫機本体に連結され車輪を軸架するとともに荷台支持部を有する台車フレームと、
　この台車フレームに上下方向に回動自在に軸支され前記収容体を載置する荷台を有するとともに前記荷台支持部にて支持される荷台フレームと、
　この荷台フレームに設けられ前記荷台上に載置される前記収容体を支持する支持体と、
　前記荷台支持部にて支持された状態で前記荷台フレームを前記台車フレームに固定し収容体の搬出時に荷台フレームの固定を解除する固定手段と、を有し、
　前記支持体は、前記荷台フレームが前記台車フレームの前記荷台支持部にて支持された状態時に、後上方に向かって傾斜した状態で前記収容体を支持する環状リングからなる
　ことを特徴とする収穫機。」と訂正する。
イ．訂正事項ｂ
　特許請求の範囲の請求項２中の
「収容体は、収容口を有する柔軟な袋体からなり、支持体は、荷台の上方に配設固定されこの荷台上に載置される前記袋体の収容口を開口状態に支持する環状リングからなる
　ことを特徴とする請求項１記載の収穫機。」を、
「収容体は、収容口を有する柔軟な袋体からなり、環状リングは、荷台の上方に配設固定されこの荷台上に載置される前記袋体の収容口を開口状態に支持する
　ことを特徴とする請求項１記載の収穫機。」と訂正する。
ウ．訂正事項ｃ
　明細書の段落番号【０００５】中の
「【課題を解決するための手段】
　請求項１記載の収穫機は、収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、前記台車は、前記収穫機本体に連結され車輪を軸架するとともに荷台支持部を有する台車フレームと、この台車フレームに上下方向に回動自在に軸支され前記収容体を載置する荷台を有するとともに前記荷台支持部にて支持される荷台フレームと、この荷台フレームに設けられ前記荷台上に載置される前記収容体を支持する支持体と、前記荷台支持部にて支持された状態で前記荷台フレームを前記台車フレームに固定し収容体の搬出時に荷台フレームの固定を解除する固定手段と、を有するものである。」を、
「【課題を解決するための手段】
　請求項１記載の収穫機は、収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、前記台車は、前記収穫機本体に連結され車輪を軸架するとともに荷台支持部を有する台車フレームと、この台車フレームに上下方向に回動自在に軸支され前記収容体を載置する荷台を有するとともに前記荷台支持部にて支持される荷台フレームと、この荷台フレームに設けられ前記荷台上に載置される前記収容体を支持する支持体と、前記荷台支持部にて支持された状態で前記荷台フレームを前記台車フレームに固定し収容体の搬出時に荷台フレームの固定を解除する固定手段と、を有し、前記支持体は、前記荷台フレームが前記台車フレームの前記荷台支持部にて支持された状態時に、後上方に向かって傾斜した状態で前記収容体を支持する環状リングからなるものである。」と訂正する。
エ．訂正事項ｄ
　明細書の段落番号【００１０】中の
「請求項２記載の収穫機は、請求項１記載の収穫機おいて、収容体は、収容口を有する柔軟な袋体からなり、支持体は、荷台の上方に配設固定されこの荷台上に載置される前記袋体の収容口を開口状態に支持する環状リングからなるものである。そして、環状リングに袋体を支持させる際には、環状リングに袋体の上端部分を挿通するとともに、この袋体の上端部分の周縁部を環状リングに沿って折り返すことにより、この環状リングにて荷台上の袋体は収容口を開口した状態で支持される。」を、
「請求項２記載の収穫機は、請求項１記載の収穫機おいて、収容体は、収容口を有する柔軟な袋体からなり、環状リングは、荷台の上方に配設固定されこの荷台上に載置される前記袋体の収容口を開口状態に支持するものである。そして、環状リングに袋体を支持させる際には、環状リングに袋体の上端部分を挿通するとともに、この袋体の上端部分の周縁部を環状リングに沿って折り返すことにより、この環状リングにて荷台上の袋体は収容口を開口した状態で支持される。」と訂正する。
（２）訂正の目的の適否、新規事項の有無、及び特許請求の範囲の拡張・変更の存否
　上記訂正事項ａは、請求項１において、訂正前に請求項２に記載していた「支持体が環状リングからなる」点を含め、支持体の構成を具体化したものであって、願書に添付された明細書の段落番号【００３７】及び【００３８】に記載されている事項であるから、特許請求の範囲の減縮を目的とした明細書の訂正に該当し、上記訂正事項ｂは、請求項２において、訂正前の請求項２に記載していた「支持体が環状リングからなる」点を、請求項１に書き込んだこと伴い、「支持体が環状リングからなる」点を省き、「支持体」を「環状リング」として表現し直したものであって、上記訂正事項ａと整合を図るものであるから、明りょうでない記載の釈明を目的とした明細書の訂正に該当し、また、上記訂正事項ｃ，ｄは、上記訂正事項ａ，ｂと整合を図るものであるから、明りょうでない記載の釈明を目的とした明細書の訂正に該当し、いずれも、新規事項の追加に該当せず、実質的に特許請求の範囲を拡張又は変更するものではない。
（３）むすび
　以上のとおりであるから、上記訂正は、特許法第１２０条の４第２項及び同条第３項において準用する特許法第１２６条第２項から第４項までの規定に適合するので、当該訂正を認める。
３．特許異議の申立てについて
（１）申立ての理由の概要
特許異議申立人　小橋工業　株式会社　は、
甲第１号証：特願平７−２７２６４２号の願書に最初に添付した明細書及び図面（特開平９−１０７７７６号公報参照。）
甲第２号証：実願昭５７−１５７７９号（実開昭５８−１１７８２２号）のマイクロフイルム
甲第３号証：実公昭４３−２６１１１号公報
甲第４号証：特開平６−３１９３３３号公報
を提出して、
ア．特許第３１８６９８３号の請求項１に係る発明，請求項２に係る発明，及び請求項４に係る発明は、本件出願の日前の他の特許出願であって本件出願後に出願公開された特願平７−２７２６４２号の願書に最初に添付した明細書又は図面に記載された発明と同一であって、その発明をした者が本件出願に係る発明の発明者と同一でも、本件出願の時にその出願人と特願平７−２７２６４２号の出願人とが同一の者でもないから、
イ．特許第３１８６９８３号の請求項１に係る発明ないし請求項４に係る発明は、本件出願前に日本国内において頒布された刊行物に記載された発明に基づいてその発明の属する技術の分野における通常の知識を有する者が容易に発明をすることができたものであるから、
特許を取り消すべき旨主張している。
（２）請求項１に係る発明ないし請求項４に係る発明
　上記２．で示したように上記訂正が認められるから、本件特許第３１８６９８３号の請求項１に係る発明ないし請求項４に係る発明は、上記訂正請求に係る訂正明細書の特許請求の範囲の請求項１ないし請求項４に記載された事項により特定される以下のとおりのものである。
「【請求項１】　収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、
　前記台車は、
　前記収穫機本体に連結され車輪を軸架するとともに荷台支持部を有する台車フレームと、
　この台車フレームに上下方向に回動自在に軸支され前記収容体を載置する荷台を有するとともに前記荷台支持部にて支持される荷台フレームと、
　この荷台フレームに設けられ前記荷台上に載置される前記収容体を支持する支持体と、
　前記荷台支持部にて支持された状態で前記荷台フレームを前記台車フレームに固定し収容体の搬出時に荷台フレームの固定を解除する固定手段と、を有し、
　前記支持体は、前記荷台フレームが前記台車フレームの前記荷台支持部にて支持された状態時に、後上方に向かって傾斜した状態で前記収容体を支持する環状リングからなる
　ことを特徴とする収穫機。
　【請求項２】　収容体は、収容口を有する柔軟な袋体からなり、環状リングは、荷台の上方に配設固定されこの荷台上に載置される前記袋体の収容口を開口状態に支持する
　ことを特徴とする請求項１記載の収穫機。
　【請求項３】　荷台フレームは、環状リングの中心部を通る上下方向の軸線より後方に僅かに離間した位置を回動支点とする
　ことを特徴とする請求項１または２記載の収穫機。
　【請求項４】　台車フレームは、収穫機本体に上下方向に回動自在に軸支されている
　ことを特徴とする請求項１記載の収穫機。」
（３）特許法第２９条の２違反について
　甲第１号証：特願平７−２７２６４２号の願書に最初に添付した明細書及び図面（特開平９−１０７７７６号公報参照。）には、「機体２に、エンジン３を搭載し、クローラ４，４を装備すると共に、前後方向に長く延び、先端部に掘取り刃を装着し、後方に向け搬送を行う収穫用コンベア５、及び選別用コンベア６を設け、機体２の後端部下部左右両側には、上部に連結孔１４，１４が形成されている連結フレーム１１，１１が設けられ、この連結孔１４，１４に、左右一対のキャスタ１５，１５を装備する車台１６から前方に突出した連結部１７，１７が、連結ピン１８，１８を介して上下方向に回動可能に連結され、車台１６には、荷台フレーム２０が上下方向に回動してダンプ可能に支持されていて、荷台フレーム２０の前端部の左右方向中央部分にはフック係合部２４が設けられ、一方、機体２の後端部下部左右両側に設けた連結フレーム１１，１１の下部間を連結する連結パイプ１２の長さ方向中間位置には、一対のブラケット２５が立設され、このブラケット２５，２５間に係合フック２６の下部が回動軸２７を介して前後方向に回動可能に軸支され、係合フック２６は、上記フック係合部２４に対して係合、係合解除可能となっていて、これにより荷台フレーム２０を、車台１６に対して固定、固定解除でき、上記荷台フレーム２０の上面には、荷台板３４が張られているとともに、荷台フレーム２０の前部中央位置と左右両側位置には、前部コンテナ支持枠３５と立面視Ｔ字型の側部コンテナ支持枠３６，３６が着脱可能に立設されていて、これらコンテナ支持枠３５、３６，３６に、網パレットあるいはフレキシブルコンテナ３７を支持して搭載するようにしてなり、網パレットあるいはフレキシブルコンテナ３７内の収穫物が一杯になったときには収穫作業を中断し、係合フック２６とフック係合部２４との係合を解除すると、荷台フレーム２０は軸２３を中心に後方に向けダンプ可能となり、ダンパー３３の弾発力によって荷台フレーム２０をゆっくりとダンプさせて後端部を接地させ、網パレットあるいはフレキシブルコンテナ３７を楽に、しかも収穫物を傷つけることなく降ろすことができ、荷台フレーム２０を元の位置に回動させて戻すと、フック係合部２４に係合フック２６が自動的に係合される農産物収穫機。」が記載されている。
Ａ．請求項１に係る発明について
　請求項１に係る発明（以下本件発明１という。）は、「収穫機」に関するものであって、「収容体を支持する支持体が、荷台フレームが台車フレームの荷台支持部にて支持された状態時に、後上方に向かって傾斜した状態の環状リングからなる」ことを構成要件の一部としている。
　そこで、この点について甲第１号証を見てみると、
甲第１号証には、上記のとおりの「農産物収穫機。」が記載されていて、「荷台フレーム２０の前部中央位置と左右両側位置には、前部コンテナ支持枠３５と立面視Ｔ字型の側部コンテナ支持枠３６，３６が着脱可能に立設されていて、これらコンテナ支持枠３５、３６，３６に、網パレットあるいはフレキシブルコンテナ３７を支持して搭載する」ことが記載されているが、「収容体を支持する支持体が、荷台フレームが台車フレームの荷台支持部にて支持された状態時に、後上方に向かって傾斜した状態の環状リングからなる」ことについては、記載がなく、それを示唆する記載もない。また、「収容体を支持する支持体が、荷台フレームが台車フレームの荷台支持部にて支持された状態時に、後上方に向かって傾斜した状態の環状リングからなる」ことが周知の技術手段であるという証拠もない。
　ところが、請求項１に係る発明は、この点により訂正明細書記載の作用効果を奏するものである。
　よって、請求項１に係る発明は、甲第１号証に記載された発明と同一ではない。
Ｂ．請求項２に係る発明ないし請求項４に係る発明について
　請求項２に係る発明は、請求項１に係る発明の収容体及び環状リングについて、「収容体は、収容口を有する柔軟な袋体からなり、環状リングは、荷台の上方に配設固定されこの荷台上に載置される前記袋体の収容口を開口状態に支持する」という限定を付したものであり、請求項３に係る発明は、請求項１に係る発明又は請求項２に係る発明の荷台フレーム及び環状リングについて、「荷台フレームは、環状リングの中心部を通る上下方向の軸線より後方に僅かに離間した位置を回動支点とする」という限定を付したものであり、請求項４に係る発明は、請求項１に係る発明の台車フレームと収穫機本体との連結の態様を「台車フレームは、収穫機本体に上下方向に回動自在に軸支されている」という限定を付したものであるが、上記「Ａ．請求項１に係る発明について」でみたとおり、これらの限定を付していない、請求項２に係る発明ないし請求項４に係る発明の上位概念に相当する本件発明１が、甲第１号証に記載された発明と同一でない以上、これらの限定を付した、本件発明１の下位概念に相当する、請求項２に係る発明ないし請求項４に係る発明もまた、甲第１号証に記載された発明と同一ではない。
（４）特許法第２９条第２項違反について
　甲第２号証（実願昭５７−１５７７９号（実開昭５８−１１７８２２号）のマイクロフイルム）には、「機枠（１）と、この機枠（１）の前方下部に突設されたすくい上げ刃（２）と、このすくい上げ刃（２）の後部に連設され土を振い落としつつ収穫物を後方に搬送する土振いコンベヤ（３）と、この土振いコンべヤ（３）の後部に後下方に傾斜して連設され収穫物は後方に茎葉は前方に搬送する分類コンべヤ（５）と、この分類コンべヤ（５）の後部に並設され収穫物から小石を除去する複数の選別ローラ（１３）（１４）と、この選別ローラ（１３）（１４）群の後部に立設され収穫物を持ち上げる、相対して立設されたフレーム（２０）間に多数のバケット（１８）を所定の間隔毎に並設した持上げコンべヤ（１９）と、フレーム（２０）に連結され、車輪（２９）を軸架した台車（３０）と、台車（３０）上に搭載され、この持上げコンベヤ（１９）の搬出部に開口部を臨ませたコンテナ（２８）とを具備した収穫機。」が記載されている。
　甲第３号証（実公昭４３−２６１１１号公報）には、「荷箱１の底部の略中央又はこれより稍々後方位置に突設したブラケット２を、下部に車輪１１を軸架し、一端に手押用把手７と農用牽引車ａに連結しうる連結具１２を備えた車体フレーム３の面上一部に貫挿した枢軸４に枢着させることにより、荷箱１を一点にて前後回動可能に枢着支持し、荷箱後端下部に設けた掛止金具５を外すことにより荷箱１の積載重量にて荷箱１を前傾させ荷箱１内に収容した積荷を排出させるようにした農用小型運搬車。」が記載されている。
　甲第４号証（特開平６−３１９３３３号公報）には、「自走機体２に、圃場に植生している農産物を収穫し搬送を行う収穫用コンベア５と、この収穫用コンベア５により搬送された収穫物を選別する選別用コンベア６，７と、選別用コンベア６，７に連続して収穫物搬送用コンベア１２ａを設け、牽引車２３の車体２４に左右一対の車輪２５を装備し、車体２４から前方にドローバー２７を突設し、その先端にヒッチ金具２８を設け、ヒッチ金具２８を機体２の後端部下部位置に設けたヒッチ金具２２とピンにより連結し、車体２４から上方に収容袋支持フレーム２６を立設し、収容袋支持フレーム２６には収穫物収容袋３０が上部を開放するようにして支持され、この収穫物収容袋３０の上部開放口に、収穫物搬送用コンベア１２ａの搬送終端部を臨ませ、収穫物搬送用コンベア１２ａから排出される収穫物を、直接収容しつつ収穫作業を行うようにした農産物収穫機。」が記載されている。
Ａ．請求項１に係る発明について
　請求項１に係る発明（以下本件発明１という。）は、「収穫機」に関するものであって、「荷台上に載置され収穫物を収容する収容体」と「環状リングからなり収容体を支持する支持体」を有し、「荷台フレームが台車フレームの荷台支持部にて支持された状態時に、環状リングは後上方に向かって傾斜した状態」であることを構成要件の一部としている。
　そこで、この点について甲第２号証ないし甲第４号証を見てみると、
　甲第２号証には、上記のとおりの「収穫機」が記載されていて、「台車（３０）上に搭載され、持上げコンベヤ（１９）の搬出部に開口部を臨ませたコンテナ（２８）を具備」することが記載されているから、「荷台上に載置され収穫物を収容する収容体」を有することは認められるが、第１図及び第２図を見てコンテナ（２８）は自立型の容器状に描かれており、「環状リングからなり収容体を支持する支持体」を有すること、及び「荷台フレームが台車フレームの荷台支持部にて支持された状態時に、環状リングは後上方に向かって傾斜した状態」であることについては記載がない。
　甲第３号証には、上記のとおりの「農用小型運搬車」が記載されていて、「荷箱１の底部の略中央又はこれより稍々後方位置に突設したブラケット２を、車体フレーム３の面上一部に貫挿した枢軸４に枢着させることにより、荷箱１を一点にて前後回動可能に枢着支持」することが記載されているから、「収穫物を収容する収容体」に相当するものを有することは認められるが、第１図及び第２図を参照し、荷箱１は底部が荷台と一体化していて車体フレーム３上に枢着された自立型の容器状であると考えられ、「収容体が荷台上に載置される」こと、「環状リングからなり収容体を支持する支持体」を有すること、及び「荷台フレームが台車フレームの荷台支持部にて支持された状態時に、環状リングは後上方に向かって傾斜した状態」であることについては記載がない。
　甲第４号証には、上記のとおりの「農産物収穫機」が記載されていて、「車体２４から上方に収容袋支持フレーム２６を立設し、収容袋支持フレーム２６には収穫物収容袋３０が上部を開放するようにして支持され」ることが記載されているから、「荷台上に載置され収穫物を収容する収容体」と「収容体を支持する支持体」を有することは認められるが、「支持体が環状リングからなる」こと、及び「荷台フレームが台車フレームの荷台支持部にて支持された状態時に、環状リングが後上方に向かって傾斜した状態」であることについては、記載がない。
　したがって、甲第２号証ないし甲第４号証のいずれにも、本件発明１の構成要件の一部である、「支持体が環状リングからなる」こと、及び「荷台フレームが台車フレームの荷台支持部にて支持された状態時に、環状リングが後上方に向かって傾斜した状態」であることについては記載がない。また、「支持体が環状リングからなる」こと、及び「荷台フレームが台車フレームの荷台支持部にて支持された状態時に、環状リングが後上方に向かって傾斜した状態」であることを示唆する記載もない。
　そして、本件発明は、この点により訂正明細書に記載の作用効果を奏するものである。
　よって、請求項１に係る発明は、甲第２号証ないし甲第４号証に記載された発明に基づいて当業者が容易に発明をすることができたものではない。
Ｂ．請求項２に係る発明ないし請求項４に係る発明について
　請求項２に係る発明は、請求項１に係る発明の収容体及び環状リングについて、「収容体は、収容口を有する柔軟な袋体からなり、環状リングは、荷台の上方に配設固定されこの荷台上に載置される前記袋体の収容口を開口状態に支持する」という限定を付したものであり、請求項３に係る発明は、請求項１に係る発明又は請求項２に係る発明の荷台フレーム及び環状リングについて、「荷台フレームは、環状リングの中心部を通る上下方向の軸線より後方に僅かに離間した位置を回動支点とする」という限定を付したものであり、請求項４に係る発明は、請求項１に係る発明の台車フレームと収穫機本体との連結の態様を「台車フレームは、収穫機本体に上下方向に回動自在に軸支されている」という限定を付したものであるが、上記「Ａ．請求項１に係る発明について」でみたとおり、これらの限定を付していない、請求項２に係る発明ないし請求項４に係る発明の上位概念に相当する本件発明１が、甲第２号証ないし甲第４号証に記載された発明に基づいて当業者が容易に発明をすることができたものではない以上、これらの限定を付した、本件発明１の下位概念に相当する、請求項２に係る発明ないし請求項４に係る発明もまた、甲第２号証ないし甲第４号証に記載された発明に基づいて当業者が容易に発明をすることができたものではない。
（５）むすび
　以上のとおりであって、請求項１に係る発明ないし請求項４に係る発明についての特許は、特許異議の申立ての理由及び証拠によっては取り消すことはできない。
　また、他に請求項１に係る発明ないし請求項４に係る発明についての特許を取り消すべき理由を発見しない。
　よって、結論のとおり決定する。
【異議決定日】
平成１６年８月１７日（２００４．８．１７）
【訂正の要旨】
審決（決定）の【理由】欄参照。
（５４）【発明の名称】
収穫機
（５７）【特許請求の範囲】
　【請求項１】　収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、
　前記台車は、
　前記収穫機本体に連結され車輪を軸架するとともに荷台支持部を有する台車フレームと、
　この台車フレームに上下方向に回動自在に軸支され前記収容体を載置する荷台を有するとともに前記荷台支持部にて支持される荷台フレームと、
　この荷台フレームに設けられ前記荷台上に載置される前記収容体を支持する支持体と、
　前記荷台支持部にて支持された状態で前記荷台フレームを前記台車フレームに固定し収容体の搬出時に荷台フレームの固定を解除する固定手段と、を有
し、
　
前記支持体は、前記荷台フレームが前記台車フレームの前記荷台支持部にて支持された状態時に、後上方に向かって傾斜した状態で前記収容体を支持する環状リングからなる
　ことを特徴とする収穫機。
　【請求項２】　収容体は、収容口を有する柔軟な袋体からなり、
環状リング
る
　
こ
　【請求項３】　荷台フレームは、環状リングの中心部を通る上下方向の軸線より後方に僅かに離間した位置を回動支点とする
　ことを特徴とする請求項１または２記載の収穫機。
　【請求項４】　台車フレームは、収穫機本体に上下方向に回動自在に軸支されている
　ことを特徴とする請求項１記載の収穫機。
【発明の詳細な説明】
　【０００１】
　【発明の属する技術分野】
　本発明は収穫機に係り、たとえば、甘藷や馬鈴薯等の地下塊茎類の収穫物を収穫するものに関する。
　【０００２】
　【従来の技術】
　従来、この種の収穫機としては、たとえば、実開昭６２−４９９１７号公報に記載されているように、収穫機本体に掘取コンベヤ、上昇コンベヤ、茎葉分離コンベヤ及びローラーコンベヤをそれぞれ設け、前記収穫機本体の後部に前記ローラーコンベヤからの収穫物を収納する収納コンテナを載置する架台を上下方向に回動自在に軸支し、この架台と前記収穫機本体の後部との間にこの架台を上下方向に回動させる油圧シリンダを設ける構成が知られている。
　【０００３】
　【発明が解決しようとする課題】
　前記公報に記載の構成では、収納コンテナを載置した架台の支持とこの架台上の収納コンテナの搬出に油圧シリンダを用いるため、この油圧シリンダ作動用の油圧機構を必要とし、取扱い操作が簡単ではなく、全体的に構成が複雑で高価なものになり、また、収納コンテナは一定の形状を保持した形態のため、嵩張り取扱いが容易ではなく、収穫物の収納時には収穫物によって変形する融通性がなく、不使用時には嵩張り取扱いが容易でないばかりか保管上大きなスペースを必要とし、高価なものになる、という問題がある。
　【０００４】
　本発明は、このような点に鑑みてなされたもので、油圧機器を用いることなく簡単な構成で取扱い操作が容易な収穫物収容部を有する収穫機を提供することを目的とするものである。
　【０００５】
　【課題を解決するための手段】
　請求項１記載の収穫機は、収穫物を掘り起す掘起体及びこの掘起体からの収穫物を搬送するコンベヤを備えた収穫機本体と、この収穫機本体に連結され前記コンベヤにて搬送される収穫物を収容する収容体を載置する台車とを有し、前記台車は、前記収穫機本体に連結され車輪を軸架するとともに荷台支持部を有する台車フレームと、この台車フレームに上下方向に回動自在に軸支され前記収容体を載置する荷台を有するとともに前記荷台支持部にて支持される荷台フレームと、この荷台フレームに設けられ前記荷台上に載置される前記収容体を支持する支持体と、前記荷台支持部にて支持された状態で前記荷台フレームを前記台車フレームに固定し収容体の搬出時に荷台フレームの固定を解除する固定手段と、を有
し、前記支持体は、前記荷台フレームが前記台車フレームの前記荷台支持部にて支持された状態時に、後上方に向かって傾斜した状態で前記収容体を支持する環状リングからなる
　【０００６】
　そして、台車フレームの荷台支持部にて支持された状態でこの台車フレームに荷台フレームを固定手段にて固定する。また、この荷台フレームの荷台上に収容体を載置するとともに、この収容体を開口した状態で支持体にて支持し、収穫物の収容に備える。また、収穫機本体を進行するとともに、この収穫機本体のコンベヤを進行方向の後方に向かって回行することにより、この収穫機本体にて車輪を軸架した台車が牽引進行される。
　【０００７】
　そうして、掘起体にて収穫物が掘り起され、この収穫物は掘起体からコンベヤに搬入されるとともにこのコンベヤにて搬送され、このコンベヤから収容体内に順次収容され、この収容体内には収穫物が満杯になるまで収容される。
　【０００８】
　つぎに、収容体内に収穫物が満杯に収容された場合には、この収容体を支持体から取り外す一方、固定手段を解除操作して荷台フレームの固定を解除する。そして、この荷台フレームを持ち上げると、この荷台フレームはこの荷台フレーム軸支点を中心として持ち上げ回動され、この荷台フレームの荷台が傾斜されるとともに、この傾斜した荷台に沿って収穫物を収容した収容体が滑落され、この荷台上から収容体が排出される。
　【０００９】
　また、収容体を滑落排出した後は、荷台フレームの軸支点を中心として荷台フレームを前記と反対方向に下降回動すると、この荷台フレームは台車フレームの荷台支持部にて再び略水平状に支持され、この荷台フレームは固定手段にて台車フレームに固定する。そして、この荷台フレームの荷台上に収容体を再び載置するとともに、この収容体を開口した状態で支持体にて支持し、収穫物の収容に備える。
　【００１０】
　請求項２記載の収穫機は、請求項１記載の収穫機おいて、収容体は、収容口を有する柔軟な袋体からなり、
環状リング
るも
　【００１１】
　請求項３記載の収穫機は、請求項１または２記載の収穫機おいて、荷台フレームは、環状リングの中心部を通る上下方向の軸線より後方に僅かに離間した位置を回動支点とするものである。そして、収容体内に収穫物が満杯に収容され、この収容体を環状リングから取り外す一方、固定手段を解除操作して荷台フレームの固定を解除しても、収容体を載置した荷台フレームが急激に跳ね上げ回動することがない。
　【００１２】
　請求項４記載の収穫機は、請求項１記載の収穫機おいて、台車フレームは、収穫機本体に上下方向に回動自在に軸支されているものである。そして、たとえば、圃場間の移動の際には、収穫機本体に対して台車フレームを上方に持ち上げ回動することにより、この台車フレームの車輪及びこの台車フレームに軸支された荷台フレームは地面上に離間され、収穫機本体は圃場間を容易に移動することが可能になる。
　【００１３】
　【発明の実施の形態】
　以下、本発明の一実施の形態を図面を参照して説明する。
　【００１４】
　１は収穫機本体で、この収穫機本体１は架台２を有し、この架台２の両側下部にはクローラ３がそれぞれ同行自在に設けられ、前記架台２の前側上部には前記両側のクローラ３及び後述するコンベヤにそれぞれ出力するミッション装置４が設けられている。
　【００１５】
　また、前記架台２の後側上部には機体５及びエンジン６がそれぞれ設けられ、前記機体５の上部と前記架台２の前端部に突設された支持フレーム７とにより甘藷や馬鈴薯等の地下塊茎類の収穫物を搬送するコンベヤ８が前下方に向かって傾斜した状態で支持されている。また、前記コンベヤ８の前方には土中を進行して収穫物を掘り起こす掘起体９が前下方に向かって傾斜して突設されている。そして、この掘起体９から収穫物を前記コンベヤ８に案内するようになっている。
　【００１６】
　前記コンベヤ８は、前記支持フレーム７にて支持された支持部を中心として上下方向に回動自在の可動コンベヤ部１０と、前記支持フレーム７と前記機体５の上部とにより支持された固定コンベヤ部１１とを有している。
　【００１７】
　また、前記可動コンベヤ部１０には上下動機構１２にて接地輪１３が上下動自在にかつ回転自在に軸架され、前記固定コンベヤ部１１は後側部に水平状の選別部１４を有している。しかして、前記コンベヤ８は両側部に相対して配設した無端チェーンと、この両側部の無端チェーン間に所定の間隔をおいて並設軸架した多数のコンベヤバーとにより構成されている。
　【００１８】
　そして、収穫作業時には前記固定コンベヤ部１１の前端部に前記可動コンベヤ部１０が一連に連結され、全体として先端部に掘起体９を有する前下方に向かって傾斜した状態のコンベヤ８として構成されるようになっている。なお、圃場間等の移動時には可動コンベヤ部１０が持ち上げ回動され、この可動コンベヤ部１０は前記架台２の前側上部に立設した状態で支持されるようになっている。
　【００１９】
　さらに、前記架台２の両側後部には前記固定コンベヤ部１１の選別部１４に搬送された収穫物を選別する作業者用の踏み台１５がそれぞれ水平状に一体に突設されている。また、前記架台２の後端部の両側上部には相対して上下方向の連結板１６を有する連結体１７がそれぞれ一体に固着されている。なお、図中５ａは前記選別部１４の両側上部に一体に突設された手摺体である。
　【００２０】
　つぎに、１８は台車で、この台車１８は前記架台２の連結体１７に連結される台車フレーム１９と、この台車フレーム１９に上下方向に回動自在に軸支される荷台フレーム２０とを有している。そして、前記台車フレーム１９は前側枠２１、後側枠２２及び左右の両側枠２３にて平面視略矩形状に形成された枠体２４を有し、この枠体２４の上面部が荷台支持部２５として形成されている。
　【００２１】
　また、前記前側枠２１は、略中間部の前面部にそれぞれ上方に向かって一体に突設された上下方向の一対の連結片２６と、この一方の連結片２６から離間して前側枠２１の前面部に一体に突設された上下方向の支持片２７とを有し、これら一対の連結片２６及び支持片２７には互いに連通した挿通孔２８がそれぞれ形成されている。
　【００２２】
　また、前記後側枠２２は、後面部に沿って一体に固着された円筒状の軸受体２９を有し、この軸受体２９には両端部を開口した軸挿通孔３０が形成されている。
　【００２３】
　さらに、前記両側枠２３は、前端部に前記架台２の両側部の連結板１６を挿入可能な間隙３１を開けて対向して一体に突設された一対の連結板３２をそれぞれ有し、この両側部の一対の連結板３２の突出端部に前記連結板１６に形成された取付孔３３に連通する連通孔３４がそれぞれ形成されている。
　【００２４】
　また、前記一方側の一対の連結板３２の中の外側部の連結板３２は上方に向かって突出された延長片３５を有し、この延長片３５の上端部には前記各挿通孔２８に連通する挿通孔３６が形成されている。また、前記延長片３５の外側部にはこの延長片３５の直交方向の板状の係止体３７が水平状に一体に突設され、この係止体３７の後側縁部の内側部及び外側部には第１の係合凹部３８及び第２の係合凹部３９がそれぞれ形成されている。
　【００２５】
　また、前記一対の連結片２６及び支持片２７の各挿通孔２８及び前記延長片３５の挿通孔３６に連結杆４０が回動自在にかつ進退自在に挿通され、この連結杆４０の先端部は前記一対の連結片２６の各挿通孔２８間に掛け渡される連結部４１として形成されている。
　【００２６】
　また、この連結部４１の近傍にはこの連結部４１を一対の挿通孔２８間に掛け渡された際に前記支持片２７側に位置する連結片２６に当接する円板状の座板４２が軸方向に摺動可能に嵌合され、この座板４２は前記連結部４１の近傍に抜き差し自在に挿着した位置決めピン４２ａにて位置決め支持されている。また、前記座板４２と前記支持片２７との間に位置して前記連結杆４０にはコイルスプリング４３が巻回され、このコイルスプリング４３の一端部が前記座板４２に圧接され、かつ、コイルスプリング４３の他端部が前記支持片２７に圧接されている。そして、前記コイルスプリング４３にて前記連結杆４０が常時軸方向に附勢され、この連結杆４０の連結部４１が常時一対の挿通孔２８に挿通されこの一対の挿通孔２８間に掛け渡されるようになっている。
　【００２７】
　さらに、前記連結杆４０の途中にて軸方向に離間して環状のピン支持体４４がそれぞれ一体に固着され、この両側部のピン支持体４４には互いに反対方向に向かって係止ピン４５がそれぞれ一体に突設されている。また、前記両側部のピン支持体４４間に位置して前記連結杆４０には円筒状のばね取付体４６が回動自在に嵌合され、このばね取付体４６にはこのばね取付体４６に直交する方向に向かって作動ピン４７が一体に突設され、このばね取付体４６には前記支持片２７に向かって係合ピン４８が一体に突設されている。
　【００２８】
　また、前記ばね取付体４６の外周部にはコイルスプリング４９が巻回され、このコイルスプリング４９の一端部が前記一方の係止ピン４５に係止され、その他端部が前記作動ピン４７に係止されている。そして、前記コイルスプリング４９にて前記係合ピン４８が他方の係止ピン４５に係止され、かつ、前記作動ピン４７が常時後方に向かって突出する状態に附勢支持されている。
　【００２９】
　また、前記連結杵４０の基端部にはこの連結杆４０を略直角状に折り曲げてハンドル５０が形成され、このハンドル５０の近傍に位置して前記連結杆４０には前記係止体３７の第１の係合凹部３８及び第２の係合凹部３９に係脱自在に係合するストッパーピン５１がこの連結杆４０に直交する方向に向かって一体に突設されている。
　【００３０】
　さらに、前記台車フレーム１９の両側枠２３の前端部に固着された一対の連結板３２間の間隙３１内に前記架台２の両側部の連結板１６をそれぞれ挿入し、この両側部の一対の連結板３２の連通孔３４及び両側部の連結板１６の取付孔３３に連結ピン５２がそれぞれ回動自在に挿通されている。そして、前記両側部の連結ピン５２にて前記架台２の両側部の連結板１６に両側枠２３の一対の連結板３２を介して前記台車フレーム１９が上下方向に回動自在に軸支されている。
　【００３１】
　また、前記台車フレーム１９の両側枠２３の略中間部には上下方向の円筒状のホルダー５３がそれぞれ一体に固着され、この両側部のホルダー５３には車輪支体５４がそれぞれ上下方向に位置調節自在に取り付けられ、この両側部の車輪支体５４の下端部には車輪５５がそれぞれ回転自在に軸架されている。この両側部の車輪５５は収穫作業時に接地して自転する高さに設定されるようになっている。
　【００３２】
　つぎに、前記荷台フレーム２０は、前記台車フレーム１９上から後方に向かって突出する大きさで平面視略矩形状に形成された荷台５６を有し、この荷台５６の下部には前記台車フレーム１９の荷台支持部２５を有する枠体２４に係脱自在に係合する係合凹部５７が下面を開放して形成され、この係合凹部５７の平面状部５８が前記荷台支持部２５にて支持されるようになっている。
　【００３３】
　また、前記係合凹部５７の前後方向の中間部に位置してこの係合凹部５７の相対する側板５９には前記台車フレーム１９の後端部の軸受体２９の軸挿通孔３０に連通する軸支孔６０がそれぞれ形成されている。また、前記荷台５６の前端両角部にはチャンネル状の支柱６１がそれぞれ一体に立設固定され、この両側部の支柱６１の下端部間にはチャンネル状の連結フレーム６２が一体に固着されている。
　【００３４】
　また、前記連結フレーム６２の略中間部の前面部には前記一対の連結片２６間に回動自在に挿入する板状の連結突片６３が前方に向かって一体に突設され、この連結突片６３の突出端部には前記一対の連結片２６の挿通孔２８に連通する挿通孔６４が形成されている。そして、前記連結突片６３の挿通孔６４には前記一対の連結片２６の挿通孔２８に挿通しかつ進退される前記連結杆４０の連結部４１が挿脱自在に挿通されるようになっている。
　【００３５】
　また、前記連結フレーム６２の一側部の前面部には前記連結杆４０のストッパーピン５１が前記係止体３７の第２の係合凹部３９に係合された状態の連結杆４０の前記作動ピン４７を押動操作してストッパーピン５１の係合を解除する解除突片６５が前方に向かって一体に突設されている。
　【００３６】
　そして、前記台車フレーム１９の挿通孔２８を有する一対の連結片２６、挿通孔２８を有する支持片２７、挿通孔３６を有する延長片３５、第１の係合凹部３８及び第２の係合凹部３９を有する係止体３７、作動ピン４７を突設してコイルスプリング４９にて附勢されたばね取付体４６及びストッパーピン５１を有する連結杆４０、コイルスプリング４３荷台フレーム２０の挿通孔６４を有する連結突片６３及び解除突片６５にて荷台フレーム２０を台車フレーム１９に固定しかつこの荷台フレーム２０の固定を解除する固定手段６６が構成されている。
　【００３７】
　さらに、前記両側部の支柱６１の上端部には後方に向かって傾斜して突出された支持アーム６７をそれぞれ有し、この両側部の支持アーム６７には前記荷台５６上に載置される収容体６８を支持する支持体６９が固着されている。この支持体６９は前記荷台５６の上方に位置して前記両側部の支持アーム６７にて後上方に向かって傾斜した状態に配設固定された環状リング７０からなっている。この環状リング７０は丸パイプまたは丸棒などの部材にて円形状に形成されている。
　【００３８】
　また、前記両側部の支持アーム６７は前記両側部の支柱６１の後方に位置して前記荷台５６上に立設された両側部の支持片７１にて支持されている。そして、この両側部の支持片７１及び両側部の支柱６１の支持アーム６７にて前記環状リング７０が後上方に向かって傾斜した状態で前記収容体６８を十分に支持可能な強度を有して支持されている。
　【００３９】
　また、前記環状リング７０には移動自在に取り付けた紐条７２にて弾性変形可能な複数のクリップ７３がそれぞれ連繋され、この各クリップ７３は前記収容体６８を介して前記環状リング７０に係脱自在に係合されるようになっている。また、前記両側部の支持アーム６７間には支持パイプ７４が固着されている。
　【００４０】
　前記収容体６８は、収容口７５を有するフレキシブルコンテナ等の柔軟な袋体７６からなっている。そして、この柔軟な袋体７６は前記荷台５６上に載置された状態でその上端部分が前記環状リング７０を介して折り返され、この折返部７７の所定の位置が前記複数のクリップ７３にて前記環状リング７０にそれぞれ挟持されるようになっている。
　【００４１】
　つぎに、前記荷台フレーム２０の係合凹部５７の両側部に形成された軸挿通孔６０内に回動中心軸７８がそれぞれ相対して挿通され、この両側部の回動中心軸７８の基端部が前記軸挿通孔６０を有する側板５９に取り付けられた軸支板７９にてそれぞれ固着されている。また、前記両側の回動中心軸７８は前記台車フレーム１９の枠体２４に固着された軸受体２９の軸挿通孔３０の両端部にそれぞれ回動自在に挿通されている。
　【００４２】
　しかして、前記両側部の相対する回動中心軸７８は前記荷台フレーム２０の回動支点ａとして前記環状リング７０の中心部を通る上下方向の軸線ｂより後方に僅かに離間した位置に配設されている。そして、前記荷台フレーム２０は前記両側部の回動中心軸７８（回動支点ａ）を中心として前記台車フレーム１９の荷台支持部２５上に対して上下方向に回動自在に軸支され、この荷台フレーム２０を下降回動した際には、この荷台フレーム２０の係合凹部５７が前記台車フレーム１９の荷台支持部２５にて支持されるようになっている。
　【００４３】
　したがって、荷台フレーム２０の荷台５６上に載置した袋体７６の開口縁部すなわち折返部７７が環状リング７０にて支持されかつ、この袋体７６内に収穫物が満杯に収容された状態で前記固定手段６６にて前記荷台フレーム２０の固定を解除しても、この袋体７６を有する荷台フレーム２０が回動中心軸７８（回動支点ａ）を中心として急激に跳ね上げ回動することが防止されるようになっている。
　【００４４】
　また、前記荷台フレーム２０の一側前部に突設された係止突部８０と前記台車フレーム１９の一側前部に突設されたフック部８１との間にはこの荷台フレーム２０が袋体７６を搬出する方向に上昇回動された際にこの荷台フレーム２０を支持する鎖体８２が長さ調節自在に取り付けられている。また、前記荷台フレーム２０の後端両側部にはこの荷台フレーム２０が袋体７６を搬出する方向に上昇回動された際にこの荷台フレーム２０の後端部が地面上に位置するように接地する脚体８３が一体に突設されている。
　【００４５】
　つぎに、前記実施の形態の作用を説明する。
　【００４６】
　台車フレーム１９の荷台支持部２５上に荷台フレーム２０を重合して固定手段６６にて固定する場合には、荷台フレーム２０を回動中心軸７８を中心として台車フレーム１９の荷台支持部２５上に向かって下降回動すると、この荷台フレーム２０の荷台５６の前端部に突設された解除突片６５にて連結杆４０の作動ピン４７が押動される。
　【００４７】
　そして、この作動ピン４７が下降回動されるとともに、この作動ピン４７を有するばね取付体４６が回動され、このばね取付体４６にて係合ピン４８及び係止ピン４５を介して連結杆４０が回動され、この連結杆４０のストッパーピン５１が係止体３７の第２の係合凹部３９から外れ、この連結杆４０のロックが解除される。
　【００４８】
　また、解除突片６５にて作動ピン４７を押動して下降回動される際には荷台フレーム２０の連結突片６３が台車フレーム１９の一対の連結片２６間に挿入され、この連結突片６３の挿通孔６４が一対の連結片２６の挿通孔２８に連通される。
　【００４９】
　そして、連結杆４０のロックが解除されると、この連結杆４０はコイルスプリング４３の復帰力によって軸方向に進出され、この連結杆４０の先端部の連結部４１が連結突片６３の挿通孔６４から一対の連結片２６の中の外側の連結片２６の挿通孔２８に挿入され、この連結杆４０の連結部４１にて台車フレーム１９の一対の連結片２６間に荷台フレーム２０の連結突片６３が連結され、台車フレーム１９に荷台フレーム２０が固定される。
　【００５０】
　また、連結杆４０が軸方向に進出され、この連結杆４０の作動ピン４７が解除突片６５から外れ、コイルスプリング４３にて台車フレーム１９に荷台フレーム２０を連結した連結杆４０が位置保持される。なお、ハンドル５０にて連結杆４０を回動操作してストッパーピン５１を第１の係合凹部３８に係合することにより連結杆４０が更に確実に位置保持される。そして、台車フレーム１９の荷台支持部２５に荷台フレーム２０の係合凹部５７が重合された状態で支持される。
　【００５１】
　したがって、台車フレーム１９の荷台支持部２５に向かって回動中心軸７８を中心として荷台フレーム２０を下降回動することにより、台車フレーム１９の荷台支持部２５上に荷台フレーム２０が重合されるとともに、台車フレーム１９に荷台フレーム２０が固定手段６６にて自動的に連結されて固定される。
　【００５２】
　つぎに、荷台フレーム２０の荷台５６上に袋体７６を載置するとともに、この袋体７６の上端部分を環状リング７０に沿って挿通するとともに、この袋体７６の上端部分の周縁部を環状リング７０を介して折り返す。そして、この折返部７７の所定の位置に複数のクリップ７３をそれぞれ嵌着することにより、この複数のクリップ７３にて折返部７７が環状リング７０にそれぞれ挟持され、この袋体７６が環状リング７０にて収容口７５を開口した状態でかつこの環状リング７０にて吊持された状態で荷台５６上に載置される。
　【００５３】
　つぎに、上下動機構１２を操作して接地輪１３を下降して接地し、この接地輪１３にて掘起体９を収穫物を掘り起す所定の位置に設定する。また、クローラ３を回行して収穫機本体１を進行するとともに、この収穫機本体１上のコンベヤ８の無端回行体を進行方向の後方に向かって同行することにより、この収穫機本体１にて接地された車輪５５にて袋体７６を載置した台車１８が牽引進行される。
　【００５４】
　そして、掘起体９にて収穫物が掘り起され、この収穫物は掘起体９からコンベヤ８に搬入されるとともに、このコンベヤ８にて搬送され、このコンベヤ８の後側部の選別部１４に搬送された収穫物は、この選別部１４を挟んだ両側部の踏み台１５上に乗った作業者によって選別される。
　【００５５】
　そうして、袋体７６に収容する良品は順次拾い上げられるとともに、台車１８上の袋体７６内に収容口７５から収容され、この袋体７６内には収穫物が満杯になるまで順次収容される。また、袋体７６に収容しない不良品はそのまま選別部１４から圃場等に搬出される。
　【００５６】
　つぎに、袋体７６内に収穫物が満杯に収容された場合には、複数のクリップ７３を取り外すとともに、この袋体７６の折返部７７を環状リング７０から取り外し、この袋体７６の伸長した折返部７７を結束具等で結束して袋体７６の収容口７５を閉じる。
　【００５７】
　また、連結杆４０のハンドル５０を回動操作すると、このハンドル５０にて連結杆４０が円周方向に回動されるとともに、この連結杆４０と一体のストッパーピン５１が係止体３７の第１の係合凹部３８から外れる。そして、ハンドル５０にて連結杆４０をコイルスプリング４３に抗して軸方向に引き寄せると、この連結杆４０の先端部の連結部４１が荷台フレーム２０の連結突片６３の挿通孔６４から引き抜かれ、この連結突片６３の固定すなわち荷台フレーム２０の固定が解除される。そうして、ストッパーピン５１を第２の係合凹部３９に係合することにより荷台フレーム２０の解除状態が保持される。
　【００５８】
　この際、荷台フレーム２０は、環状リング７０の中心部を通る上下方向の軸線ｂより後方に僅かに離間した位置を回動支点ａ（回動中心軸７８）として軸支されていることにより、袋体７６内に収穫物が満杯に収容され、この袋体７６を環状リング７０から取り外す一方、ハンドル５０を回動操作して荷台フレーム２０の固定を解除しても、袋体７６を載置した荷台フレーム２０が回動支点ａ（回動中心軸７８）を中心として急激に跳ね上げ回動することがない。
　【００５９】
　そして、この荷台フレーム２０の前側部を持ち上げると、この荷台フレーム２０は回動中心軸７８を中心として持ち上げ回動され、この荷台フレーム２０の荷台５６が傾斜されるとともに、この傾斜した荷台５６に沿って収穫物を収容した袋体７６が滑落され、この荷台５６上から袋体７６がスムーズに排出される。
　【００６０】
　また、袋体７６を滑落排出した後は、回動中心軸７８を中心として荷台フレーム２０を前記と反対方向に下降回動すると、この荷台フレーム２０は係合凹部５７が台車フレーム１９の荷台支持部２５に係合して再び略水平状に支持され、この荷台フレーム２０は固定手段６６にて台車フレーム１９に固定される。そして、この荷台フレーム２０の荷台５６上に袋体７６を再び載置するとともに、この袋体７６を開口した状態で環状リング７０にて支持し、収穫物の収容に備える。
　【００６１】
　つぎに、圃場間を移動する際には、架台２の後端両側部の連結ピン５２を中心として台車フレーム１９を上方に持ち上げ回動することにより、この台車フレーム１９の車輪５５及びこの台車フレーム１９に軸支固定された荷台フレーム２０は地面上に離間される。
　【００６２】
　また、持ち上げ回動された状態の荷台フレーム２０の支持パイプ７４を連結具にて機体５に固着された両側部の手摺体５ａに連結することにより、台車フレーム１９及び荷台フレーム２０を有する台車１８は架台２の後端部の上方に持ち上げられた状態に支持される。
　【００６３】
　また、コンベヤ８の可動コンベヤ部１０を固定コンベヤ部１１に向かって折り畳み回動することにより、先端部に掘起体９を有する可動コンベヤ部１０が固定コンベヤ部１１上に立設され、この可動コンベヤ部１０は連結具にて位置保持される。
　【００６４】
　したがって、収穫機の全長が大幅に短縮され、収穫機本体１はクローラ３にて圃場間を容易に移動することが可能になる。また、収穫機の全長が大幅に短縮されることにより、道路走行も容易になり、トラックに対する積み込み及びトラックによる搬送も容易になる。
　【００６５】
　また、架台２の後端両側部に連結ピン５２にて台車フレーム１９及び荷台フレーム２０を有する台車１８を着脱自在に連結されていることにより、必要に応じて架台２の後端両側部の連結ピン５２を引き抜くことにより、収穫機本体１から台車１８が簡単に取り外され、この台車１８を収穫機本体１から分解し全体をコンパクトにした状態で搬送することができる。また、作業現場において架台２の後端両側部に連結ピン５２にて台車１８を簡単に連結することもできる。
　【００６６】
　【発明の効果】
　請求項１の発明によれば、収穫作業時には台車フレームの荷台支持部にて荷台フレームを支持した状態でこの荷台フレームを固定手段にて台車フレームに固定することにより、この台車フレームに荷台フレームを回動させることなく水平状に確実に固定することができる。また、荷台フレームの荷台上に載置した収容体を支持体にて支持することにより、この収容体を収穫物の収容に備えて確実に支持することができ、この収容体にはコンベヤから搬送される収穫物を容易に収容することができる。
　【００６７】
　この際、台車フレームは車輪を有するので、荷台フレーム上の収容体内に収穫物が収容されることにより重くなっても収穫機本体の前後の重量バランスが崩れることがなく、台車をスムーズに牽引移動させることができ、大きい容量の収容体を用いて収容体の交換回数を減少させて作業能率を向上させることができる。
　【００６８】
　また、収穫物が満杯に収容された収容体の搬出時には固定手段にて荷台フレームの固定を解除するとともに、この荷台フレームを台車フレームとの軸支部を中心として持ち上げ回動することにより、この荷台フレームを収容体の搬出方向に容易に傾斜させることができるとともに、この傾斜された荷台上から収容体をスムーズに搬出させることができる。
　【００６９】
　この際、荷台フレームは台車フレームとの軸支部を中心とした持ち上げ回動で収容体をスムーズに搬出させることができるので、この荷台フレームの回動手段に油圧シリンダ等の油圧機器を用いるものに比べ取扱い操作が容易であり、全体的に構成が簡単であり、コストメリットが大きいものである。
　【００７０】
　また、収容体の搬出後は荷台フレームを台車フレームとの軸支部を中心として復帰回動させることにより、台車フレームの荷台支持部上に荷台フレームを水平状に簡単に支持させることができるとともに、次の収穫物の収容に簡単に備えることができる。
　【００７１】
　請求項２の発明によれば、収容体は収容口を有する柔軟な袋体からなるので、収穫物の収納時には収穫物によって変形する融通性によって袋体内に収穫物を十分に収容することができ、この収穫物の収容時に袋体によって収穫物を損傷することがなく、不使用時には折り畳むことにより嵩張ることがなく取扱いが容易であるばかりか保管上大きなスペースを必要とせず、一定の形状を保持した形態の収納コンテナに比べ嵩張らず取扱いが容易で安価に得られるものである。
　【００７２】
　また、支持体は荷台の上方に配設固定されこの荷台上に載置される袋体の収容口を開口状態に支持する環状リングからなるので、この環状リングにて荷台上に載置される袋体の収容口を開口状態に簡単に支持させることができ、袋体内には収容口から収穫物を満杯になるまで容易に収容することができる。
　【００７３】
　請求項３の発明によれば、荷台フレームは環状リングの中心部を通る上下方向の軸線より後方に僅かに離間した位置を回動支点とするので、荷台フレームの荷台上の袋体内に収穫物を収容した状態で荷台フレームの固定を解除しても収穫物を収容した袋体の重量によって荷台フレームが急激に跳ね上げ回動することを確実に防止でき、収穫物が収容された袋体の搬出時に不測の事態が生じることを防止できる。
　【００７４】
　請求項４の発明によれば、台車フレームは収穫機本体に上下方向に回動自在に軸支されているので、圃場間の移動時等には台車フレームを持ち上げ回動することにより、台車の全体を収穫機本体側に回動させ圃場間等を容易に移動することができる。
【図面の簡単な説明】
　【図１】
　本発明の一実施の形態を示す収穫機の側面図である。
　【図２】
　同上台車の拡大側面図である。
　【図３】
　同上平面図である。
　【図４】
　同上分解斜視図である。
　【図５】
　同上固定手段を示す拡大平面図である。
　【図６】
　同上固定解除状態を示す拡大平面図である。
　【図７】
　同上収穫物排出状態を示す荷台フレームの側面図である。
　【符号の説明】
　　１　　収穫機本体
　　８　　コンベヤ
　　９　　掘起体
　１８　　台車
　１９　　台車フレーム
　２０　　荷台フレーム
　２５　　荷台支持部
　５５　　車輪
　５６　　荷台
　６６　　固定手段
　６８　　収容体
　６９　　支持体
　７０　　環状リング
　７５　　収容口
　７６　　袋体